(57)【要約】【課題】自動車の屋根に取り付けたルーフキャリアを、車両の後方へ延出できるようにし、その延出した延長キャリアをテントの骨組として利用してなる車両による移動仮設テントを提供するものである。【解決手段】車両のルーフキャリアに、後方へ伸びる左右の延長ルーフキャリアを設け、該左右の延長ルーフキャリアにシートを取り付けることにより該車両の後方にシートで囲まれた空間を形成し、該車両外側の天井、側面及び後面の全て又はそのいずれかに袋状のお湯又は水供給タンクを固定し、該お湯又は水供給タンクより該空間へお湯又は水を供給してなることを特徴とする車両による移動仮設テント。【選択図】図１
0003171184.tif 000002
【実用新案登録請求の範囲】
【請求項１】
車両のルーフキャリアに、後方へ伸びる左右の延長ルーフキャリアを設け、該左右の延長ルーフキャリアにシートを取り付けることにより該車両の後方にシートで囲まれた空間を形成し、該車両外側の天井、側面及び後面の全て又はそのいずれかに袋状のお湯又は水供給タンクを固定し、該お湯又は水供給タンクより該空間へお湯又は水を供給してなることを特徴とする車両による移動仮設テント。
【請求項２】
延長ルーフキャリアは、筒状体のルーフキャリア内に収納され、必要時に外方へ伸ばすことを可能としたことを特徴とする請求項１記載の車両による移動仮設テント。
【請求項３】
延長ルーフキャリアは、その先端部に補強柱が固定できるようにしてなることを特徴とする請求項１又は２記載の車両による移動仮設テント。
【請求項４】
延長ルーフキャリアに、シートを固定するためのシート吊り下げ部を適宜間隔毎に設けてなることを特徴とする請求項１乃至３のいずれか記載の車両による移動仮設テント。
【請求項５】
ルーフキャリアに、高さ調整手段及び／又は幅方向調整手段を設けてなることを特徴とする請求項１乃至４のいずれか記載の車両による移動仮設テント。
【請求項６】
左右の延長ルーフキャリアに、母屋部材を掛け渡してなることを特徴とする請求項１乃至５のいずれか記載の車両による移動仮設テント。
【請求項７】
シートは、その端部に延長ルーフキャリアに固定するための孔を適宜間隔毎に設けてなることを特徴とする請求項１乃至６のいずれか記載の車両による移動仮設テント。
【請求項８】
シートは、開口部を形成し、該開口部には開口部シート又は／及び網状体を設けてなることを特徴とする請求項１乃至７のいずれか記載の車両による移動仮設テント。
【請求項９】
シートは、その端部に他のシートと連結するための連結具を設けてなることを特徴とする請求項１乃至８のいずれか記載の車両による移動仮設テント。
【請求項１０】
シートは、袋状とし、その端部に排水溝を設けてなることを特徴とする請求項１乃至９のいずれか記載の車両による移動仮設テント。
【請求項１１】
シートは、袋状とし、内側に空気を入れることにより平面状態の敷物から四方の側壁が形成される浴槽へと形成できるようにされていることを特徴とする請求項１乃至１０のいずれか記載の車両による移動仮設テント。
【請求項１２】
袋状のお湯又は水供給タンクは、その各々にお湯又は水の給水口及び排水口を設けたことを特徴とする請求項１乃至１１のいずれか記載の車両による移動仮設テント。
【請求項１３】
袋状のお湯又は水供給タンクは、その表面側を車両に取着した網状体により囲み、水による膨張を押さえ込んでなることを特徴とする請求項１２記載の車両による移動仮設テント。
【請求項１４】
お湯又は水供給タンクは、加熱手段及び／又は車両の排気筒と連結してなることを特徴とする請求項１乃至１３のいずれか記載の車両による移動仮設テント。
【請求項１５】
お湯又は水供給タンクからのお湯又は水は、パイプを通じて敷物又は／及び浴槽上に移動し、浴槽上にあってはその下面に形成された排水口よりシャワー状にお湯又は水が落下するように形成してなることを特徴とする請求項１乃至１４のいずれか記載の車両による移動仮設テント。
【考案の詳細な説明】
【技術分野】
【０００１】
本考案は、自動車の屋根に取り付けたルーフキャリアを延出できるようにすることにより自動車の後方にテントを形成する骨組とし、過疎地や被災地等の緊急時において適宜場所で仮設居住空間を形成することを可能とした車両による移動仮設テントを提供するものである。
【背景技術】
【０００２】
自動車に居住空間を設けたキャンピングカー、自動車の屋根のルーフキャリア上にテントを構築する装置或いは自動車を囲むようにしてテントを構築する装置等が知られている。
【０００３】
上記キャンピングカーにあっては、通常の自動車とは異なる特殊な車両であり、日常において普通に使うことができる車両ではなくキャンプ専用であり、且つ高額なものであった。
【０００４】
また、自動車の屋根上にテントを構築するものにあっては、テントを組み立てる作業が車両上のため難しく、且つ出来上がったものに重量のあるものを持ち上げたり設置したりすることはできず、収納物のための簡易な倉庫や仮眠室程度のものにしか利用できなかった。
【０００５】
更に、自動車を囲むようにしてテントを構築する手段にあっては、中央部に車両が位置し、その周囲を利用することになり、利用部分が車両によって分断され使い勝手が悪いものであった。
【先行技術文献】
【特許文献】
【０００６】
【特許文献１】特開平８−４２１９４号公報
【特許文献２】実開平１−１７６５４０号公報
【特許文献３】実開平６−１６６４７号公報
【考案の概要】
【考案が解決しようとする課題】
【０００７】
本考案は、上記欠点を解決したもので、自動車の屋根に取り付けたルーフキャリアを、車両の後方へ延出できるようにし、その延出した延長キャリアをテントの骨組として利用してなる車両による移動仮設テントを提供するものである。
【課題を解決するための手段】
【０００８】
本考案は、車両のルーフキャリアに、後方へ伸びる左右の延長ルーフキャリアを設け、該左右の延長ルーフキャリアにシートを取り付けることにより該車両の後方にシートで囲まれた空間を形成し、該車両外側の天井、側面及び後面の全て又はそのいずれかに袋状のお湯又は水供給タンクを固定し、該お湯又は水供給タンクより該空間へお湯又は水を供給してなる車両による移動仮設テントを特徴とする。
【０００９】
また、延長ルーフキャリアは、筒状体のルーフキャリア内に収納され、必要時に外方へ伸ばすことを可能とした車両による移動仮設テントを特徴とする。
【００１０】
更に、延長ルーフキャリアは、その先端部に補強柱が固定できるようにしてなる車両による移動仮設テントを特徴とする。
【００１１】
また、延長ルーフキャリアに、シートを固定するためのシート吊り下げ部を適宜間隔毎に設けてなる車両による移動仮設テントを特徴とする。
【００１２】
更に、ルーフキャリアに、高さ調整手段及び／又は幅方向調整手段を設けてなる車両による移動仮設テントを特徴とする。
【００１３】
また、左右の延長ルーフキャリアに、母屋部材を掛け渡してなる車両による移動仮設テントを特徴とする。
【００１４】
更に、シートは、その端部に延長ルーフキャリアに固定するための孔を適宜間隔毎に設けてなる車両による移動仮設テントを特徴とする。
【００１５】
また、シートは、開口部を形成し、該開口部には開口部シート又は／及び網状体を設けてなる車両による移動仮設テントを特徴とする。
【００１６】
更に、シートは、その端部に他のシートと連結するための連結具を設けてなる車両による移動仮設テントを特徴とする。
【００１７】
また、シートは、袋状とし、その端部に排水溝を設けてなる車両による移動仮設テントを特徴とする。
【００１８】
更に、シートは、袋状とし、内側に空気を入れることにより平面状態の敷物から四方の側壁が形成される浴槽へと形成できるようにされている車両による移動仮設テントを特徴とする。
【００１９】
また、袋状のお湯又は水供給タンクは、その各々にお湯又は水の給水口及び排水口を設けた車両による移動仮設テントを特徴とする。
【００２０】
更に、袋状のお湯又は水供給タンクは、その表面側を車両に取着した網状体により囲み、水による膨張を押さえ込んでなる車両による移動仮設テントを特徴とする。
【００２１】
また、お湯又は水供給タンクは、加熱手段及び／又は車両の排気筒と連結してなる車両による移動仮設テントを特徴とする。
【００２２】
更に、お湯又は水供給タンクからのお湯又は水は、パイプを通じて敷物又は／及び浴槽上に移動し、浴槽上にあってはその下面に形成された排水口よりシャワー状にお湯又は水が落下するように形成してなる車両による移動仮設テントを特徴とする。
【考案の効果】
【００２３】
本考案の車両による移動仮設テントは、車両の後方に簡便に大きな空間を形成することができるので、過疎地や地震や火災等の被害に遭遇した避難場所等の医療施設や介護施設を必要とする場所に自由に出向いて行くことができ、当該場所で車両内を含め所定の空間を得て医療行為や介護を行うことが可能となった。
【００２４】
また、車両内を含め車両外と一体的に医療施設や介護施設を形成することができ、該車両外では車両を駐車した場所の地面とほぼ同一レベルにてそれらを得ることができ、重量物を持ち上げることなく仮設置することが可能となった。
【００２５】
更に、空間を形成するにあたっては、布等の折りたたみ或いは連結容易な軽量な可撓性のある材料のテント用シートを周囲の壁及び天井とすることにより、誰でもが迅速に空間を形成することが可能となった。
【００２６】
また、車両を利用することにより、空間を構成する各部材や設備を所定場所に容易に運搬することができると同時に、車両の周囲に水タンクや太陽光を利用するタンク或いは車両の排ガスから得られる熱を有効利用することにより水やお湯を確保したり或いは保存しておくことが可能となった。
【図面の簡単な説明】
【００２７】
【図１】本考案の車両による移動仮設テントの骨組を示す側面図。
【図２】車両のルーフキャリアから延長ルーフキャリアを延設した状態を示す斜視図。
【図３】（ａ）、（ｂ）、（ｃ）車両のルーフキャリアから延長ルーフキャリアを延設したときの係止手段の一実施例を示す断面図及び斜視図。
【図４】（ａ）乃至（ｄ）ルーフキャリア端部の固定手段の断面図。
【図５】（ａ）移動仮設テントを構築した側面図、（ｂ）テントの天井面の側面図。
【図６】（ａ）補強柱の側面図、（ｂ）同固定部及び長さ調整手段の側面図、（ｃ）同下端部の側断面図、（ｄ）同固定した状態の下端部の側断面図、（ｅ）延長ルーフキャリアを引き出すときの一実施例の側面図。
【図７】（ａ）、（ｂ）ルーフキャリアの他の実施例の斜視図。
【図８】ルーフキャリア及び延長ルーフキャリアの他の実施例の斜視図。
【図９】ルーフキャリア及び延長ルーフキャリアの他の実施例の斜視図。
【図１０】（ａ）、（ｂ）ルーフキャリア及び延長ルーフキャリアの他の実施例の斜視図及び断面図。
【図１１】（ａ）、（ｂ）シートの一実施例を示す正面図及び断面図。
【図１２】シートを連結した状態を示す正面図。
【図１３】シートの他の実施例で、床に使用した断面図。
【図１４】（ａ）車両に水タンクを取着した状態を示す側面図、（ｂ）車両の外天井に水タンクを取着した状態を示す斜視図、（ｃ）車両に水タンクを取着した状態を示す後部側背面図。
【図１５】（ａ）浴槽を示す側面図、（ｂ）加熱手段と浴槽を示す側面図。
【図１６】（ａ）、（ｂ）浴槽シート及び浴槽シートで形成された浴槽を示す側断面図。
【図１７】シャワー室を形成した断面図。
【図１８】（ａ）車両の排気筒と浴槽とを連結パイプで連結した状態を示す側面図、（ｂ）連結パイプの側面図。
【図１９】（ａ）車両の排気筒に連結パイプを連結した状態を示す斜視図、（ｂ）連結パイプの他の実施例の側面図。
【考案を実施するための形態】
【００２８】
以下、図面に基づいて本考案の実施例を説明する。
【実施例１】
【００２９】
図１、２に示すように、セダン車やワゴン車等の適宜自動車（以下、車両という）Ａの屋根に適宜長さのルーフキャリア１を固定し、該ルーフキャリア１は、該車両Ａの後方へ延出することができるように摺動自在の延長ルーフキャリア２を設けている。該ルーフキャリア１は、図２、３に示すように、筒状体３の中に納めることのできる延長ルーフキャリア２、２ａ、…を適数個設け、それを外方へ引き出すことにより車両Ａの後方へ延ばすことができる。
【００３０】
図３（ａ）に示すように、筒状体３は、その一端部に内側に向けて鍔部４を突出形成し、該鍔部４は、該筒状体３から延長ルーフキャリア２を延出したときの該延長ルーフキャリア２の終端部に形成された係止部５に当接し、該延長ルーフキャリア２の延出を停止させることになる。
【００３１】
また、延長ルーフキャリア２、２ａ、…は、筒状体３とされ、該筒状体３の複数本を摺動自在に形成する場合、該延長ルーフキャリア２、２ａ、…の先端部にその内側に向けて鍔部４を各々突出形成し、該延長ルーフキャリア２、２ａ、…の後端部に形成した係止部５と当接してその延出を停止させ、更に、その内側の筒状体３となる摺動自在とされた延長ルーフキャリア２ａの終端部に形成された係止部５に延長ルーフキャリア２ａの鍔部４が当接してその延出を停止させるようにして順次係止させながら引き出すことが可能となる。
【００３２】
鍔部４以外の他の係止手段として、図３（ｂ）に示すように、筒状体３及び延長ルーフキャリア２、２ａ、…の各々の端部に設けたネジ孔にネジ６を螺合することにより該筒状体３や延長ルーフキャリア２を押圧し、固定することができる。
【００３３】
また、他の係止手段として、延長ルーフキャリア２、２ａ、…を先端側から後端側にかけてその径を漸次大径となるようにテーパ状に形成しておくことにより、該筒状体３の内壁に延長ルーフキャリア２、２ａ、…の外周壁が強く接することになり停止状態とさせることができる。
【００３４】
また、図３（ｃ）に示すように、筒状体３及び延長ルーフキャリア２、２ａ、…の各々に適宜間隔毎に貫通孔７を設け、該貫通孔７にピンやボルト等の係止手段８により所定長に引き出した位置で該延長ルーフキャリア２、２ａ、…を止めることが可能となる。ボルトの場合は該貫通孔７にネジ切りをしておきボルトが螺合できるようにしておく。
【００３５】
そして、最先端に位置することになる延長ルーフキャリア２、２ａ、…の先端部には該筒状体３の開口部を閉鎖するための蓋体９が必要に応じて形成され、且つ該開口部の閉鎖状態を維持するための適宜係止手段が該筒状体３或いは蓋体９に形成されている。
【００３６】
延長ルーフキャリア２、２ａ、…の未使用時には、該延長ルーフキャリア２、２ａ、…は筒状体３の中に収納した状態を維持する必要があり、該延長ルーフキャリア２、２ａ、…の最先端部にはルーフキャリアの脱落防止のための固定手段を設けている。該固定手段としては、図４（ａ）に示すように、蓋体９の弾力性を利用して筒状体３の凹凸に嵌合させて固定するもの、（ｂ）に示すように、筒状体３及び蓋体９ａに形成したネジの螺合によるもの、（ｃ）に示すように、筒状体３と蓋体９ｂ間に掛け渡す係止手段を着脱自在に設けたもの、（ｄ）に示すように、カム状ナットとボルトとにより蓋体９ｃを着脱自在とするもの等、様々な固定手段が考えられる。
【００３７】
上記構成よりなる延長ルーフキャリア２、２ａ、…を筒状体３から適宜必要な長さを延出し、左右の延長ルーフキャリア２、２ａ、…に、図５（ａ）に示すように、軽い材料で形成したシート１０を囲い込んだり吊り掛けるようにして天井側及び側面側を覆うことになる。
【００３８】
吊り掛ける場合は、該シート１０の側端部に係止孔或いは係止紐を設け、該延長ルーフキャリア２に形成した貫通孔や突出係止手段等を利用して該シート１０を延長ルーフキャリア２に係止することができる。
【００３９】
上記シート１０を取着する際、図５（ｂ）に示すように、天井に相当する部位に薄くて軽い板状の天井板１１を敷設固定し、それを覆うようにしてシート１０で囲み込むことにより天井面が平面状で安定したシート１０により囲まれた居住空間を形成することができる。
【００４０】
また、延長ルーフキャリア２、２ａ、…は、長く延出することもあるので、その延出状態での強度を保持するため及び延出させやすいために、図６（ａ）に示すように、補強柱１２をその下方より支持するようにして着脱自在に設けることができる。該補強柱１２は、延長ルーフキャリア２、２ａ、…毎に設けることも可能である。該補強柱１２の上端部には、延長ルーフキャリア２、２ａ、…を保持するためのＵ字形状の保持部１３を設け、下端部にはベース盤１４を設け、補強柱１２の適宜箇所に柱の長さ調整手段１５を設けている。
【００４１】
上記Ｕ字形状の保持部１３は、図６（ｂ）に示すように、その側面側からボルトやピンにより強固に固定することができる。また、長さ調整手段１５としては、図６（ａ）に示すように、上柱と下柱とに分割し、その連結部に設けたターンバックルにより上下動させたり、図６（ｂ）に示すように、上柱及び下柱に設けた各々の孔にボルトやピンを挿入することにより係止して高さを調整することができる。
【００４２】
また、下端部には、図６（ｃ）に示すように、回動自在となるように球状体１６を嵌入し、盤面上を自由に移動しやすいように形成している。移動後は、図６（ｄ）に示すように、球状体１６の下部に固定ベース盤１４ａを置き安定状態で固定する。
【００４３】
上記補強柱１２は、図６（ｅ）に示すように、延長ルーフキャリア２、２ａ、…を延出させる前に該延長ルーフキャリア２、２ａ、…の先端に予め取着することにより、球状体１６の回転を利用して土盤、路盤、草盤等の盤面上を該補強柱１２を延出方向へ移動させることができ、それにより該延長ルーフキャリア２を引き出すことができる。
【００４４】
また、左右の補強柱１２、１２間を別体の連結梁によって連結固定することにより該補強柱１２の強度を増加させることができるし、移動時に該連結梁を利用することにより移動させやすくすることができる。移動後、固定ベース盤１４ａの設置及び長さ調整手段１５の微調整を行うことによりテントの最適な高さと安定感を得ることができる。
【００４５】
上記シート１０で囲まれた内部空間には、浴槽、給排水設備、シャワー等の機器類及びその加熱手段等を持ち込むことにより浴室や仮設介護施設を形成することができる。また、給排水設備や調理器具、食器等の機器類及び機材等を持ち込むことにより台所を形成することができる。また、組み立て式ベッドや布団や枕等の寝具を持ち込むことにより寝室を形成することができる。また、医療機器や机、椅子、ベッド等を持ち込むことにより仮設医務室を形成することもできる。このように必要に応じて様々な機能を持った部屋を形成することができる。
【実施例２】
【００４６】
図７（ａ）、（ｂ）は、ルーフキャリア１の他の実施例を示したもので、軽自動車、普通車、ワゴン車等の車両の違い或いは必要とする空間の大きさにより該ルーフキャリア１の長さ、幅或いは高さ等が異なるものとなるので、それらに対応できるようにしたものである。
【００４７】
通常のルーフキャリア１幅で延長した骨組では構築されるテント幅が狭く、所定の介護室、医務室、台所或いは寝室等が得られないことが考えられるので、幅方向に所定の大きな間隔が得られるように図７（ａ）に示す補助ルーフキャリア１７を設けている。該補助ルーフキャリア１７は、ルーフキャリア１上に該ルーフキャリア１と直交する方向の横方向へ該ルーフキャリア１に対して摺動可能な状態で設けるもので、横方向への延出は該補助ルーフキャリア１７の長さを長くすることにより達成することができる。また、その中央部にターンバックル等の長さ調整手段１８を設けることにより、その調整で長さを可変させることを可能とすることができる。
【００４８】
また、長さ方向への延出は、上記図２、３に示すのと同様の手段で、延長ルーフキャリア２、２ａ、…として外方へ延ばすことが可能である。更に、高さ方向の調整は、図７（ｂ）に示すように、両端にネジを刻設したり或いは上記同様、束部材１９にターンバックル等の長さ調整手段を設けることにより高さを調整することが可能である。テントの屋根を切妻屋根状にしたい場合は、中央部に設けた延長ルーフキャリアの束部材１９を車両Ａの側壁側の束部材１９より高くしておけば断面三角形状の切妻屋根を形成することができる。
【００４９】
上記ルーフキャリア１や延長ルーフキャリア２、２ａ、…は、必要に応じて車両Ａに取着できるものであり、これだけを別体で購入できるようにしておくことが可能である。
【実施例３】
【００５０】
図８は、ルーフキャリア２１の他の実施例を示すもので、筒状体とした該ルーフキャリア２１の一部に長手方向に沿って溝２２を形成し、該溝２２からシート吊り下げ部２３を突出するように形成したものである。該ルーフキャリア２１の内側に収納される延長ルーフキャリア２４、２４ａ、…にシート吊り下げ部２３が固定されているが、該溝２２から当該部分を突出させることにより該延長ルーフキャリア２４、２４ａ、…をルーフキャリア２１内に収納しておくことが可能となる。該溝２２の形成位置をルーフキャリア２１の上部或いは外方側側面に向けて形成しておくことによりシートが吊り掛け易い位置に該シート吊り下げ部２３を配設することができる。
【００５１】
延長ルーフキャリア２４、２４ａ、…がいくつか存在する場合は、内側の延長ルーフキャリア２４ａにも上記同様の溝２２を形成し、シート吊り下げ部２３の突出溝としておく。
【実施例４】
【００５２】
図９は、ルーフキャリア３１に収納される延長ルーフキャリア３２、３２ａ、…の内側側面或いは上側面に適宜間隔毎に貫通孔３３を形成し、対向する延長ルーフキャリア３２、３２ａ、…の貫通孔３３の各々に弾力性を有する母屋部材３４を嵌入し架け渡すことにより湾曲状の屋根用骨組が形成できるようにした実施例である。該骨組にシートを覆うことによりドーム屋根を持ったテントを得ることができる。
【００５３】
この場合、ルーフキャリア３１の内壁に凹部を形成し、該延長ルーフキャリア３２、３２ａ、…に形成した凸部３５がそれに係合するようにしておけば、延長ルーフキャリア３２、３２ａ、…の貫通孔３３が筒状体の周方向において位置ずれを起こすおそれはない。
【００５４】
また、母屋部材３４の長さを適宜変えることによりドームの天井底の位置を低くしたり高くしたり調整することが可能である。
【実施例５】
【００５５】
図１０（ａ）、（ｂ）は、ルーフキャリア４１に収納される延長ルーフキャリア４２、４２ａ、…に設ける母屋部材４３を傾倒自在に形成することにより、そのつど母屋部材４３を貫通孔に取り付ける必要がないようにした屋根用骨組である。
【００５６】
図１０（ｂ）の断面図に示すように、延長ルーフキャリア４２、４２ａ、…の母屋部材４３の一端部を該延長ルーフキャリア４２、４２ａ、…に設けた貫通孔４４を貫通させ、その先端を該延長ルーフキャリア４２、４２ａ、…内に位置させて抜け止め部材４５を形成し、該抜け止め部材４５間を棒状或いは紐やワイヤー状の連結部材４６により相互を連結し、該連結部材４６を引いたり押し込んだりすることにより該母屋部材４３を倒したり立ち上げたりすることを可能としたものである。該連結部材４６には適宜状態で係止できる係止具を設けておく。
【００５７】
車両Ａの走行中は倒しておくことにより走行に支障のないようにすることができ、テントの形成時は該延長ルーフキャリア４２、４２ａ、…を筒状体から引き出し、該連結部材４６を操作することにより母屋部材４３を立設させることができる。
【実施例６】
【００５８】
図１１（ａ）に示すように、シート１０の端部には、上記図８のフック状のシート吊り下げ部２３やその他の係止部材等に引っ掛けることのできる孔５１を適宜間隔毎に適数設け、該シート１０を延長ルーフキャリアに取着することができるが、屋根側も壁側と同様に、様々な固定手段を利用して骨組を覆うようにして固定することができる。
【００５９】
図１１（ａ）、（ｂ）のシート１０は、中央部に開口部５２を設けたもので、この場合、内側に網状体５３を設け、外側に該開口部５２を覆うようにして開閉自在の開口部シート５４を設けている。この開口部シート５４の取着位置は内側であってもよい。この開口部シート５４の開閉や巻き上げにより通風を調整したり、内側を隠蔽したりすることが可能となる。
【００６０】
図１２は、シート１０を適宜大きさに可変することができるように、シート端部にファスナー５５を設けたものである。上下方向或いは左右方向にシート１０相互を連結することにより所望の大きさに形成することができる。小さなシート小片で運搬し、現場にて適宜大きさに形成することができる。連結するシート１０の数量は、上下・左右方向とも必要に応じて適宜選択することができる。
【００６１】
図１３は、床に使用するシート１０の断面図で、厚手の二重のシート１０で形成し、内側に空気を入れ、その端部に溝を設けて排水溝５６としている。浴室やシャワー室として使用する場合の床用のシート１０として使用することができる。
【実施例７】
【００６２】
図１４（ａ）は、左右のルーフキャリア６１の間及び／又は車両Ａの左右側面、車両の後面に防水性を有した袋状水タンク６２を取着した実施例である。車両Ａを傷つけることのないテフロン（登録商標）加工等をした厚手のシートを利用して形成した該水タンク６２を車両Ａに取着することにより水を得ることのできない場所へより多くの水を運び込むことが可能となる。
【００６３】
該屋上水タンク６２ａは、図１４（ｂ）に示すように、左右のルーフキャリア６１に設けた係止具６３に該屋上水タンク６２ａに設けた係止具６４を掛け止めすることにより所定位置に取着することができるし、別途左右のルーフキャリア６１間に網状体６５を掛け渡し、車両Ａの外天井と該網状体６５間に屋上水タンク６２ａを設けることができる。該屋上水タンク６２ａにはその周囲の一部に給水口６６及び排水口６７を設けることができる。該屋上水タンク６２ａに給水したときの該屋上水タンク６２ａの膨張を該網状体６５により押さえ込むことが可能となる。
【００６４】
図１４（ｃ）は、左右のルーフキャリア６１から外方へ突出した延長ルーフキャリア６８に設けた係止具６３に左右側面用水タンク６２ｂに設けた係止具６４を掛け止めすることにより該左右側面用水タンク６２ｂを所定位置に設置することができる。上記左右側面用水タンク６２ｂもルーフキャリア６１から吊り下した網状体６５により外方への膨出を防止することができる。該網状体６５の下方側の係止は、一方の側壁側から車両の低部側へ巻き込んで他方の側壁側に至るようにすることにより可能となる。
【００６５】
上記左右側面用水タンク６２ｂの上方側には給水口６６、下方側には排水口６７を各々設けることができる。
【００６６】
上記同様、車両Ａの後部側も延長ルーフキャリア６８の係止具６３を利用して後部用水タンク６２ｃを設けることができる。網状体並びに給水口及び排水口は、上記左右側面用水タンク６２ｂと同様である。
【実施例８】
【００６７】
図１５は、テント内或いは車両内に設置することのできる浴槽の実施例である。厚手のシートで形成した浴槽７０は、上下方向に伸縮自在とされた骨組７１の中に膨張自在の浴槽シート７２を入れ込み、それを膨張させることにより浴槽７０を形成することができる。現場において骨組用のシートの中に空気を入れることにより骨組７１を形成し、該骨組７１を強度部材とし、同様に浴槽シート７２内に空気を入れて膨張させて浴槽７０を形成するものである。
【００６８】
該浴槽シート７２には給水口７３及び排水口７４が設けられており、上記図１４の実施例の水タンク６２等は外面に露出しているので太陽光により温められて温度上昇を得ることができ、そのお湯や図１５（ｂ）に示すように、該水タンク６２又は別途給水手段から得られた水を家庭用湯沸かし器や業務用湯沸かし器或いはボイラー等の加熱手段７５により温水として浴槽シート７２内に供給して人が入ることのできる浴槽７０を得ることができる。
【００６９】
該加熱手段７５は、家庭用湯沸かし器のようにその電源を交流電源から得ることも可能であるが、寒村や被災地等で交流電源が得られないことを考慮して、自家発電設備としておく。これらは車両Ａによって容易に運搬することができる。
【実施例９】
【００７０】
図１６（ａ）、（ｂ）は、上記実施例同様、テント内或いは車両内に設置できる介護用浴槽の実施例を示すもので、厚手で防水性を有する浴槽シート８０を利用する場合、図１６（ａ）に示すように、先ず該浴槽シート８０を平面状に敷設した状態で被介護者Ｂを該浴槽シート８０上に乗せ、周囲が少し立設するように周壁８１を該浴槽シート８０内に油圧ポンプ等により空気を入れて側壁を形成する。その段階で被介護者Ｂにシャワーをして身体を拭き取るような作業をすることができる。その後、該浴槽シート８０の空間内に更に空気を入れ込むことにより底部８２及び周壁８１が膨出し、所定形状の浴槽が形成できるようにしてある。これにより該浴槽内にお湯をためることができ、被介護者Ｂは浴槽につかることができるし、被介護者Ｂを浴槽内に持ち上げるという作業を回避することが可能となった。
【００７１】
また、出張介護用浴槽に対応するために、図１６（ｂ）に示すように、浴槽内に被介護者Ｂが楽に入浴できるように頭、首及び肩側にかけて寄りかかることができるように伸縮自在の弾力性のあるマット８３や足のふくらはぎを支える膨出支持マット８４等を必要に応じて適宜設けておくことができる。
【実施例１０】
【００７２】
図１７に示すものは、車輪９０を設けた板体９１の上に湯タンク９２、ボイラー９３及びポンプ９４を設けている。ボイラー９３の電源は、乾電池やバッテリ或いは車両のエンジン用のバッテリ等が利用される。該湯タンク９２上に浴槽９５を設け、更に、該浴槽９５上に水タンク９６を設けている。お湯を該ポンプ９４から該水タンク９６へ送り込むことができ、該水タンク９６の下方に設けた排水口９７よりお湯がシャワー状に落下するようになっている。
【００７３】
落下したお湯は、被介護者Ｂがシャワーとして利用できる他、浴槽９５として利用し、その後、湯タンク９２に溜められ、ボイラー９３により再度温められることになり、お湯を循環させて利用することができる。該湯タンク９２の高さや幅は、適宜のものが選択されるし、厚手のシートで形成すれば高さ調整は必要に応じて適宜行うことができる。また、車輪９０が設けられているので、自由に移動することが可能である。また、お湯を循環させて使用するため、洗浄機９８を設け、お湯を洗浄している。
【実施例１１】
【００７４】
図１８は、水の加熱手段として車両Ａの排ガスを利用したものである。車両Ａにおける排ガスは高温となっているので車両Ａの排気筒１００に着脱自在の連結パイプ１０１を設け、該連結パイプ１０１を浴槽シートで形成した浴槽１０２内から導入された水を加熱する手段としている。該連結パイプ１０１は、図１８（ｂ）に示すように、どの方向からも排ガスを得ることができ、且つどの方向にも熱を供給できるように折曲連結パイプ１０３を連結自在としておき、且つ該連結パイプ１０１内にはその適宜箇所に送熱のためのプロペラ１０４を設置し、該プロペラ１０４は乾電池やバッテリで駆動するモータ１０５と接続している。また、該モータ１０５は水を循環させるための手段を兼ねることができる。
【００７５】
上記排ガスを熱源として利用する場合或いは他の理由によりエンジンを作動させる場合は、排気筒１００からは熱の他、排煙や臭気も同時に放出されることになるので、それを防止するため、図１９（ａ）、（ｂ）に示すように、排気用の連結パイプ１０６を設け、上記図１８（ｂ）の熱源用の連結パイプ１０１同様、折曲連結パイプ１０７と直管１０８との組み合わせにより、連結パイプ１０６の先端部をテント外に向けた位置に配設し、
テント内に排煙や臭気が入り込むことを防止している。
【００７６】
該直管１０８は、必要に応じて複数本連結できるようにし、長さを調整できるようにしてある。また、該折曲連結パイプ１０７と直管１０８或いは直管１０８相互は、着脱自在とされ、運搬及び管の清掃が容易にでき、且つ先端部の位置が変えられるようにしている。また、それらの連結手段は、螺合や嵌合等適宜手段により行うことができる。
【００７７】
更に、図１８（ｂ）と同様、必要に応じて連結パイプ内に水の循環路を設けることにより、車両の排気熱で浴槽等のためのお湯を得ることができる。
【符号の説明】
【００７８】
１、２１、３１、４１、６１        ルーフキャリア
２、２４、３２、４２、６８        延長ルーフキャリア
３                                筒状体
４                                鍔部
５                                係止部
６                                ネジ
７、３３、４４                    貫通孔
８                                係合具
９                                蓋体
１０                              シート
１１                              天井板
１２                              補強柱
１３                              保持部
１４                              ベース盤
１５、１８                        長さ調整手段
１６                              球状体
１７                              補助ルーフキャリア
１９                              束部材
２０                              鍔部
２２                              溝
２３                              シート吊り下げ部
３４、４３                        母屋部材
４５                              抜け止め部材
４６                              連結部材
５１                              孔
５２                              開口部
５３、６５                        網状体
５４                              開口部シート
５５                              ファスナー
５６                              排水溝
６２、９６                        水タンク
６２ａ                            屋上水タンク
６３、６４                        係止具
６６、７３                        給水口
６７、７４、９７                  排水口
７０、９５、１０２                浴槽
７１                              骨組
７２、８０                        浴槽シート
７５                              加熱手段
８１                              周壁
８２                              底部
８３                              マット
８４                              支持マット
９０                              車輪
９１                              板体
９２                              湯タンク
９３                              ボイラー
９４                              ポンプ
９８                              洗浄機
１００                            排気筒
１０１、１０６                    連結パイプ
１０３、１０７                    折曲連結パイプ
１０４                            プロペラ
１０５                            モータ
１０８                            直管
【図１】
0003171184.tif 000003
【図２】
0003171184.tif 000004
【図３】
0003171184.tif 000005
【図４】
0003171184.tif 000006
【図５】
0003171184.tif 000007
【図６】
0003171184.tif 000008
【図７】
0003171184.tif 000009
【図８】
0003171184.tif 000010
【図９】
0003171184.tif 000011
【図１０】
0003171184.tif 000012
【図１１】
0003171184.tif 000013
【図１２】
0003171184.tif 000014
【図１３】
0003171184.tif 000015
【図１４】
0003171184.tif 000016
【図１５】
0003171184.tif 000017
【図１６】
0003171184.tif 000018
【図１７】
0003171184.tif 000019
【図１８】
0003171184.tif 000020
【図１９】
0003171184.tif 000021